(57)【要約】【課題】デジタル画像処理を行なうことによって順次生成される撮影画像のフィルミングを行なうＸ線診断装置において、検査効率を向上すること。【解決手段】ＤＲ装置１０は、検査毎に１フィルム内のフィルミングフォーマットを設定するフィルミングフォーマット設定部５１と、検査の対象部位に対する透視・撮影を実行する透視・撮影実行部５２と、撮影によって順次生成される撮影画像をフィルミングフォーマットに従って順次配置することで、フィルミングの形態を観念するフィルミング観念画像を順次生成するフィルミング観念画像生成部５３と、撮影画像又は透視画像を表示すると共にフィルミング観念画像を順次表示する検査モニタ４６ａと、撮影によって順次生成される撮影画像をフィルミングフォーマットに従って配置して、フィルミング画像を生成するフィルミング画像を生成するフィルミング画像生成部５５と、フィルミング画像を所要のタイミングでフィルミングするように制御するフィルミング画像出力制御部５６とを有する。【選択図】  図３
2008302071.tif 000002
【特許請求の範囲】
【請求項１】
デジタル画像処理を行なうことによって順次生成される撮影画像のフィルミングを行なうＸ線診断装置において、
検査毎に１フィルム内の撮影画像枚数、撮影画像配置及び撮影画像配置序列によって決まるフィルミングフォーマットを設定するフィルミングフォーマット設定部と、
前記検査の対象部位に対する透視・撮影を実行する透視・撮影実行部と、
前記透視・撮影実行部が実行する前記撮影によって順次生成される前記撮影画像を、前記フィルミングフォーマット設定部によって設定されたフィルミングフォーマットに従って順次配置することで、前記フィルミングの形態を観念するフィルミング観念画像を順次生成するフィルミング観念画像生成部と、
前記撮影画像又は透視画像を表示すると共に、前記フィルミング観念画像生成部によって順次生成される前記フィルミング観念画像を順次表示するモニタと、
前記透視・撮影実行部が実行する前記撮影によって順次生成される前記撮影画像を、前記フィルミングフォーマット設定部によって設定された前記フィルミングフォーマットに従って配置して、フィルミング画像を生成するフィルミング画像を生成するフィルミング画像生成部と、
前記フィルミング画像生成部によって生成される前記フィルミング画像を所要のタイミングでフィルミングするように制御するフィルミング画像出力制御部と、
を有することを特徴とするＸ線診断装置。
【請求項２】
前記透視・撮影実行部が実行する前記撮影によって順次生成される前記撮影画像が全体の撮影画像枚数のうちの何枚目に相当するかを示す撮影画像経過枚数と、前記フィルミングフォーマット設定部によって設定された前記１フィルム内の撮影画像枚数とを基に、前記撮影画像のフィルミングが何枚目のフィルムに相当するかを示すフィルム経過枚数を演算し、そのフィルム経過枚数を表すフィルム経過枚数画像を順次生成するフィルム経過枚数生成部をさらに有し、前記モニタは、前記フィルム経過枚数画像を順次更新表示する構成とすることを特徴とする請求項１に記載のＸ線診断装置。
【請求項３】
前記モニタは、前記フィルミング観念画像生成部によって順次生成される前記フィルミング観念画像を、順次更新表示する構成とすることを特徴とする請求項１に記載のＸ線診断装置。
【請求項４】
前記モニタは、前記フィルミング観念画像生成部によって順次生成される前記フィルミング観念画像を、カスケード表示する構成とすることを特徴とする請求項１に記載のＸ線診断装置。
【請求項５】
前記フィルミング画像出力制御部は、前記フィルミング画像生成部から前記フィルミング画像が出力される毎に、前記フィルミング画像をフィルミングするように制御する構成とすることを特徴とする請求項１に記載のＸ線診断装置。
【請求項６】
前記フィルミング画像出力制御部は、同一の前記検査中に前記フィルミング画像生成部から出力される全てのフィルミング画像を、前記検査が終了した後でまとめてフィルミングするように制御する構成とすることを特徴とする請求項１に記載のＸ線診断装置。
【請求項７】
前記フィルミング画像出力制御部は、前記フィルミング画像生成部から出力される全てのフィルミング画像を、複数の前記検査が終了した後でまとめてフィルミングするように制御する構成とすることを特徴とする請求項１に記載のＸ線診断装置。
【発明の詳細な説明】
【技術分野】
【０００１】
本発明は、デジタル画像処理を行なうことによって順次生成される撮影画像のフィルミングを行なうＸ線診断装置に関する。
【背景技術】
【０００２】
近年、医用の分野においては、放射線を利用したＣＴ（ｃｏｍｐｕｔｅｄ  ｔｏｍｏｇｒａｐｈｙ）装置や、ＭＲＩ（ｍａｇｎｅｔｉｃ  ｒｅｓｏｎａｎｃｅ  ｉｍａｇｉｎｇ）装置等の各種医用画像撮影装置や、Ｘ線診断装置等の各種医用画像読取装置等の入力装置により、デジタル画像として入力された医用画像に各種画像処理を施してＣＲＴ（ｃａｔｈｏｄｅ  ｒａｙ  ｔｕｂｅ）等のモニタに表示する、或いはフィルミング装置に出力する医用画像処理装置が開発されている。このような医用画像処理装置により見やすく可視化された画像を観察することによって、医師は的確な診断を行なうことができる。
【０００３】
患者の透視像を得ることを目的としたＸ線診断装置には、大きくは直接撮影装置と間接撮影方式とが存在し、直接撮影装置は、Ｘ線画像を直接にフィルムに記録する装置である。一方、間接撮影装置としては、ＤＲ（ｄｉｇｉｔａｌ  ｒａｄｉｏｇｒａｐｈｙ）装置が存在する。ＤＲ装置は、Ｘ線画像が記録・表示される前に、電気的にとらえてデジタル化し、種々の画像処理を施して表示する装置である。
【０００４】
また、ＤＲ装置は、患者の撮影部位を透過したＸ線をＩ．Ｉ．（ｉｍａｇｅ  ｉｎｔｅｎｓｉｆｉｅｒ）により光学像に変換し、この光学像を撮像装置、例えばＣＣＤ（ｃｈａｒｇｅ  ｃｏｕｐｌｅｄ  ｄｅｖｉｃｅ）カメラにより撮像し、得られた画像信号をデジタル信号に変換してデジタルＸ線像を得るＩ．Ｉ．−ＤＲ装置（ＤＳＡ（ｄｉｇｉｔａｌ  ｓｕｂｔｒａｃｔｉｏｎ  ａｎｇｉｏｇｒａｐｈｙ）含む。）がある。また、ＤＲ装置には、ＣＲ（ｃｏｍｐｕｔｅｄ  ｒａｄｉｏｇｒａｐｈｙ）装置や、フラットセンサを用いた装置がある。
【０００５】
ＤＲ装置では、撮影によって生成される撮影画像をイメージャ等にフィルミングして診断に使用しているが、検査全体の撮影画像を枚数にするか、撮影画像をどのような形態でフィルミングするかに関して、一般的には、医療機関毎に決めている。
【０００６】
なお、本発明に関連する技術として、以下の特許文献が開示されている。
【特許文献１】特開２０００−１１０６１号公報
【特許文献２】特開２０００−１０９８７号公報
【発明の開示】
【発明が解決しようとする課題】
【０００７】
ＤＲ装置では、病院や検診施設毎に撮影画像の生成枚数が決まっていることが多いので、医師及び技師等の検査実施者は、現在、検査中に何枚の撮影画像を撮影したかを把握する必要がある。しかしながら、従来の技術によると、検査中に何枚の撮影画像を撮影したかを把握するためには、透視中に検査モニタに表示される透視画像を見ながら撮影位置、撮影のタイミングを決めて撮影を実行させ、透視画像に代替して一時的に検査モニタに表示される撮影画像が診断に適しているものかどうかを判断する作業を繰り返す検査中に、検査モニタからシステムモニタに目を移す必要があった。よって、検査実施者にとって検査効率が悪かった。
【０００８】
さらに、従来の技術によると、撮影画像をイメージャ等にフィルミングする際、撮影画像がどのような配置でフィルミングになるかは、検査実施者が入力装置を操作してＤＲ装置の『Ｆｉｌｍｉｎｇ』という別の画面に移らなければ確認できなかった。よって、検査実施者にとって検査効率が悪かった。
【０００９】
本発明は、上述した事情を考慮してなされたもので、検査効率を向上できるＸ線診断装置を提供することを目的とする。
【課題を解決するための手段】
【００１０】
本発明に係るＸ線診断装置は、上述した課題を解決するために、請求項１に記載したように、デジタル画像処理を行なうことによって順次生成される撮影画像のフィルミングを行なうＸ線診断装置において、検査毎に１フィルム内の撮影画像枚数、撮影画像配置及び撮影画像配置序列によって決まるフィルミングフォーマットを設定するフィルミングフォーマット設定部と、前記検査の対象部位に対する透視・撮影を実行する透視・撮影実行部と、前記透視・撮影実行部が実行する前記撮影によって順次生成される前記撮影画像を、前記フィルミングフォーマット設定部によって設定されたフィルミングフォーマットに従って順次配置することで、前記フィルミングの形態を観念するフィルミング観念画像を順次生成するフィルミング観念画像生成部と、前記撮影画像又は透視画像を表示すると共に、前記フィルミング観念画像生成部によって順次生成される前記フィルミング観念画像を順次表示するモニタと、前記透視・撮影実行部が実行する前記撮影によって順次生成される前記撮影画像を、前記フィルミングフォーマット設定部によって設定された前記フィルミングフォーマットに従って配置して、フィルミング画像を生成するフィルミング画像を生成するフィルミング画像生成部と、前記フィルミング画像生成部によって生成される前記フィルミング画像を所要のタイミングでフィルミングするように制御するフィルミング画像出力制御部と、を有する。
【発明の効果】
【００１１】
本発明に係るＸ線診断装置によると、検査効率を向上できる。
【発明を実施するための最良の形態】
【００１２】
本発明に係るＸ線診断装置の実施の形態について、添付図面を参照して説明する。
【００１３】
図１は、本発明に係るＸ線診断装置の実施形態を示す概略図である。
【００１４】
図１は、デジタル画像処理を行なうことによって順次生成される撮影画像のフィルミングを行なうＸ線診断装置、例えばＤＲ装置１０を示す。ＤＲ装置１０は、大きくは、Ｃアーム保持装置１１及びＤＦ（ｄｉｇｉｔａｌ  ｆｌｕｏｒｏｇｒａｐｈｙ）装置１２から構成される。なお、ＤＲ装置１０としては、被検体（患者）Ｐの検査の対象部位を透過したＸ線をＩ．Ｉ．（ｉｍａｇｅ  ｉｎｔｅｎｓｉｆｉｅｒ）により光学像に変換し、この光学像を撮像装置、例えばＣＣＤ（ｃｈａｒｇｅ  ｃｏｕｐｌｅｄ  ｄｅｖｉｃｅ）カメラにより撮像し、得られた画像信号をデジタル信号に変換してデジタルＸ線像を得るＩ．Ｉ．−ＤＲ装置や、ＣＲ（ｃｏｍｐｕｔｅｄ  ｒａｄｉｏｇｒａｐｈｙ）装置や、フラットセンサを用いた装置がある。本実施形態では、ＤＲ装置１０のとしてのＩ．Ｉ．−ＤＲ装置を例にとって説明する。
【００１５】
Ｃアーム保持装置１１は、Ｘ線管２１、Ｘ線検出装置２２、Ｃアーム２３、天板２５、高電圧供給装置２６及び駆動機構２７を設ける。なお、Ｃアーム保持装置１１は、Ｘ線管２１が天板２５の下方に位置するアンダーチューブタイプである場合を説明するが、Ｘ線管２１が天板２５の上方に位置するオーバーチューブタイプである場合であってもよい。また、Ｘ線管２１のＸ線の出射側に、複数枚の鉛羽で構成されるＸ線照射野絞りや、シリコンゴム等で形成されハレーションを防止するために所定量の照射Ｘ線を減衰させる補償フィルタを設けてもよい。
【００１６】
Ｘ線管２１は、Ｃアーム２３の一端に設けられ、高電圧供給回路２６から高電圧電力の供給を受けて、この高電圧電力の条件に応じて患者Ｐの撮影部位に向かってＸ線を曝射する。
【００１７】
Ｘ線検出装置２２は、Ｃアーム２３の他端であってＸ線管２１の出射側に設けられ、患者Ｐを透過したＸ線を検出する。Ｘ線検出装置２２は、大きくは、Ｉ．Ｉ．２２ａ及びＴＶカメラ２２ｂを備える。
【００１８】
Ｉ．Ｉ．２２ａは、患者Ｐを透過したＸ線を可視光に変換し、さらに、光−電子−光変換の過程で輝度の倍増を行なって感度のよい投影データを形成させる。ＴＶカメラ２２ｂは、ＣＣＤ（ｃｈａｒｇｅ  ｃｏｕｐｌｅｄ  ｄｅｖｉｃｅ）撮像素子を用いて光学的な投影データを電気信号に変換する。
【００１９】
Ｃアーム２３は、その一端にＸ線管２１を、他端にＸ線検出装置２２を支持することで、Ｘ線管２１とＸ線検出装置２２とを、患者Ｐを中心に対向配置させる。Ｃアーム２４は、駆動機構２７によって、その移動量、移動タイミング及び移動速度が制御される。
【００２０】
天板２５は、患者Ｐを載置する。
【００２１】
高電圧供給装置２６は、ＤＦ装置１２の制御によって、Ｘ線管２１に高電圧電力を供給する。
【００２２】
駆動機構２７は、ＤＦ装置１２による制御に従って、Ｃアーム２３を円弧動（ＬＡＯ（ｌｅｆｔ  ａｎｔｅｒｉｏｒ  ｏｂｌｉｑｕｅ  ｖｉｅｗ）方向及びＲＡＯ（ｒｉｇｈｔ  ａｎｔｅｒｉｏｒ  ｏｂｌｉｑｕｅ  ｖｉｅｗ）方向の移動）させたり、Ｃアーム２３を回転動（ＣＲＡ（ｃｒａｎｉａｌ  ｖｉｅｗ）方向及びＣＡＵ（ｃａｕｄａｌ  ｖｉｅｗ）方向の移動）させたりする。
【００２３】
また、駆動機構２７は、ＤＦ装置１２による制御に従ってＣアーム２３を患者Ｐの体軸方向に対して平行移動させたり、Ｃアーム２３及び天板２５を一体として起倒させたりする。さらに、駆動機構２７は、Ｘ線管２１及びＸ線検出装置２２を患者Ｐの体軸方向に移動させて撮影するために、ＤＦ装置１２による制御に従ってＣアーム２３を患者Ｐの体軸方向に直線移動させる。加えて、駆動機構２７は、ＤＦ装置１２による制御に従って天板２５を上下方向、左右方向及び体軸方向に移動させる。
【００２４】
一方、ＤＦ装置１２は、コンピュータをベースとして構成されており、病院基幹のＬＡＮ（ｌｏｃａｌ  ａｒｅａ  ｎｅｔｗｏｒｋ）等のネットワークＮと相互通信可能である。ＤＦ装置１２は、大きくは、プロセッサとしてのＣＰＵ（ｃｅｎｔｒａｌ  ｐｒｏｃｅｓｓｉｎｇ  ｕｎｉｔ）３１、包括メモリ３２、ＨＤ（ｈａｒｄ  ｄｉｓｃ）３３、入力装置３４、通信制御装置３５、システム制御装置３６、Ａ／Ｄ（ａｎａｌｏｇ  ｔｏ  ｄｉｇｉｔａｌ）変換回路４１、画像生成・処理回路４２、画像メモリ４３、イメージャ４４、画像合成回路４５及びモニタ部４６等のハードウェアから構成される。ＣＰＵ３１は、共通信号伝送路としてのバスを介して、ＤＦ装置１２を構成する各ハードウェア構成要素に相互接続されている。なお、ＤＦ装置１２は、記録媒体用のドライブ（図示しない）を具備する場合もある。
【００２５】
ＣＰＵ３１は、医師及び技師等の検査実施者によって入力装置３４が操作等されることにより指令が入力されると、包括メモリ３２に記憶しているプログラムを実行する。又は、ＣＰＵ３１は、ＨＤ３３に記憶しているプログラム、ネットワークＮから転送され通信制御装置３５で受信されてＨＤ３３にインストールされたプログラム、又は記録媒体用のドライブ（図示しない）に装着された記録媒体から読み出されてＨＤ３３にインストールされたプログラムを、包括メモリ３２にロードして実行する。
【００２６】
包括メモリ３２は、ＲＯＭ（ｒｅａｄ  ｏｎｌｙ  ｍｅｍｏｒｙ）及びＲＡＭ（ｒａｎｄｏｍ  ａｃｃｅｓｓ  ｍｅｍｏｒｙ）等の要素を兼ね備え、ＩＰＬ（ｉｎｉｔｉａｌ  ｐｒｏｇｒａｍ  ｌｏａｄｉｎｇ）、ＢＩＯＳ（ｂａｓｉｃ  ｉｎｐｕｔ／ｏｕｔｐｕｔ  ｓｙｓｔｅｍ）及びデータを記憶したり、ＣＰＵ３１のワークメモリやデータの一時的な記憶に用いたりする記憶装置である。
【００２７】
ＨＤ３３は、磁性体を塗布又は蒸着した金属のディスクによって構成され、読み取り装置（図示しない）に着脱不能で内蔵されている。ＨＤ３３は、ＤＦ装置１２にインストールされたプログラム（アプリケーションプログラムの他、ＯＳ（ｏｐｅｒａｔｉｎｇ  ｓｙｓｔｅｍ）等も含まれる）や、データを記憶する記憶装置である。また、ＯＳに、検査実施者に対する情報の表示にグラフィックを多用し、基礎的な操作を入力装置３７ａによって行なうことができるＧＵＩ（ｇｒａｐｈｉｃａｌ  ｕｓｅｒ  ｉｎｔｅｒｆａｃｅ）を提供させることもできる。
【００２８】
入力装置３４としては、検査実施者によって操作が可能なキーボード及びマウス等が挙げられ、操作に従った入力信号がＣＰＵ３１に送られる。入力装置３４は、大きくは、メインコンソール及びシステムコンソールによって構成される。
【００２９】
通信制御装置３５は、各規格に応じた通信制御を行なう。通信制御装置３５は、電話回線を通じてネットワークＮに接続することができる機能を有しており、これにより、アンギオ装置６は、通信制御装置３５からネットワークＮ網に接続することができる。
【００３０】
システム制御装置３６は、図示しないＣＰＵ及びメモリを含んでいる。システム制御装置３６は、ＣＰＵ３１からの指示に従って、Ｃアーム保持装置１１の高電圧供給装置２６及び駆動機構２７等の動作を制御する。
【００３１】
Ａ／Ｄ変換回路４１は、Ｘ線検出装置２２から出力された時系列的なアナログ信号（ビデオ信号）をデジタル信号に変換する。
【００３２】
画像生成・処理回路４２は、ＣＰＵ３１の制御によって、Ａ／Ｄ変換回路４１から出力された投影データのデジタル信号に対して対数変換処理（ＬＯＧ処理）行ない、必要に応じて加算処理して画像データを生成し、その画像データを画像メモリ４３に記憶させる。また、画像生成・処理回路４２は、画像データに対して画像処理を施し、画像処理後の画像データを画像メモリ４３に記憶させる。当該画像処理としては、画像データに対する拡大／諧調／空間ファイルタ処理や、時系列に蓄積された画像データの最小値／最大値トレース処理、及びノイズを除去するための加算処理等が挙げられる。なお、画像生成・処理回路４２による画像処理後の画像データは、画像合成回路４５に出力されると共に、画像メモリ４３等の記憶装置に記憶される。
【００３３】
画像メモリ４３は、ＣＰＵ３１の制御によって、画像生成・処理回路４２から出力された画像データを記憶する。
【００３４】
イメージャ４４は、ＣＰＵ３１の制御によって、後述するフィルミング画像をフィルミングする。
【００３５】
画像合成回路４５は、ＣＰＵ３１の制御によって、画像生成・処理回路４２によって生成される透視画像に、患者名等の検査情報（パラメータの文字情報及び目盛等）と、後述するフィルミング観念画像及びフィルム経過枚数画像とを合成し、その合成信号をＤ／Ａ（ｄｉｇｉｔａｌ  ｔｏ  ａｎａｌｏｇ）変換後、ビデオ信号としてモニタ部４６に出力する。又は、画像合成回路４５は、ＣＰＵ３１の制御によって、画像生成・処理回路４２によって生成される撮影画像に、検査情報と、後述するフィルミング観念画像及びフィルム経過枚数画像とを合成し、その合成信号をＤ／Ａ変換後、ビデオ信号としてモニタ部４６に出力する。
【００３６】
図２は、入力装置３４及びモニタ部４６を設ける操作卓の一例を示す概観図である。
【００３７】
モニタ部４６は、検査モニタ４６ａ及びシステムモニタ４６ｂから構成される。
【００３８】
検査モニタ４６ａは、検査情報と、後述するフィルミング観念画像及びフィルム経過枚数画像と共に、透視画像（動画）及び撮影画像（静止画）を切り替え表示する。検査モニタ４６ａは、画像合成回路４５から出力される透視画像又は撮影画像をライブ画像として表示する。
【００３９】
システムモニタ４６ｂは、ＦＯＶ（ｆｉｅｌｄ  ｏｆ  ｖｉｅｗ）切り替えのためのデータ等、主にＣアーム保持装置１１の制御を行なうためのデータを表示する。
【００４０】
なお、モニタ部４６には、検査モニタ４６ａ及びシステムモニタ４６ｂ以外に、検査を適正に遂行するための他のモニタをさらに設ける場合もある。
【００４１】
図３は、ＤＲ装置１０の機能を示すブロック図である。
【００４２】
図１に示すＣＰＵ３１がプログラムを実行することによって、ＤＲ装置１０は、フィルミングフォーマット設定部５１、透視・撮影実行部５２、フィルミング観念画像生成部５３、フィルム経過枚数画像生成部５４及びフィルミング画像生成部５５及びフィルミング画像出力制御部５６として機能する。なお、各構成要素５１乃至５６は、ＣＰＵ３１がプログラムを実行することによってソフトウェア的に機能するものとして説明するが、その全部又は一部がＤＲ装置１０にハードウェアとして設けられるものであってもよい。また、フィルム経過枚数画像生成部５４は、ＤＲ装置１０に必須の構成要素ではない。
【００４３】
フィルミングフォーマット設定部５１は、検査実施者が入力装置３４を用いて所望のフィルミングフォーマット（雛型）を入力することによって、検査毎に、１フィルム内の撮影画像枚数、撮影画像配置及び撮影画像配置序列によって決まるフィルミングフォーマットを設定する機能を有する。
【００４４】
図４及び図５は、フィルミングフォーマット設定部５１によって設定されるフィルミングフォーマットの例を示す概要図である。
【００４５】
図４は、フィルミングフォーマット設定部５１によって、１フィルム内の撮影画像枚数を４枚とし、撮影画像配置を縦２×横２とするフィルミングフォーマットを示す。また、撮影画像序列は、横方向を優先としている。一方、図５は、フィルミングフォーマット設定部５１によって、１フィルム内の撮影画像枚数を６枚とし、撮影画像配置を縦２×横３とするフィルミングフォーマットを示す。また、撮影画像序列は、横方向を優先としている。
【００４６】
透視・撮影実行部５２は、システム制御装置３６を制御し、検査の対象部位に対する透視・撮影を実行する機能を有する。
【００４７】
フィルミング観念画像生成部５３は、透視・撮影実行部５２が実行する撮影によって画像生成・処理回路４２によって順次生成される撮影画像を、フィルミングフォーマット設定部５１によって設定されたフィルミングフォーマットに従って順次配置することで、フィルミングの形態を観念するフィルミング観念画像を順次生成する機能を有する。フィルミング観念画像生成部５３によって順次生成されたフィルミング観念画像は、画像合成回路４５に順次出力される。
【００４８】
具体的には、フィルミング観念画像生成部５３は、フィルミングフォーマット設定部５１によって設定されたフィルミングフォーマットに従って、第１のフィルム上の「序列（１）」の位置から、１フィルム内の撮影画像枚数の最大値（例えば、図４の説明では「序列（４）」、図５の説明では「序列（６）」）の位置までに撮影画像を順次配置することで第１のフィルムに関するフィルミング観念画像を順次生成する。次いで、フィルミング観念画像生成部５３は、１フィルム内の撮影画像枚数の最大値の位置まで撮影画像を全て配置すると、フィルミングフォーマットに従って、第１のフィルムに続く第２のフィルム上の「序列（１）」の位置から撮影画像を順次配置することで、第２のフィルムに関するフィルミング観念画像を順次生成する。
【００４９】
フィルム経過枚数画像生成部５４は、透視・撮影実行部５２が実行する撮影によって画像生成・処理回路４２によって順次生成される撮影画像が全体の撮影画像の枚数のうち何枚目に相当するかを示す撮影画像経過枚数と、フィルミングフォーマット設定部５１によって設定された１フィルム内の撮影画像枚数とを基に、画像生成・処理回路４２によって順次生成される撮影画像のフィルミングが、何枚目のフィルムに相当するかを示すフィルム経過枚数画像を生成する機能を有する。フィルム経過枚数画像生成部５４によって順次生成されたフィルム経過枚数画像は、画像合成回路４５に順次出力される。
【００５０】
図６は、検査中における検査モニタ４６ａの表示画面の第１例を示す概念図である。
【００５１】
患者Ｐの検査の対象部位、例えば消化器（胃）の検査中に検査モニタ４６ａに表示される表示画面を示している。検査モニタ４６ａは、図６に示すように、検査情報、撮影画像（透視画像の時もある）、フィルミング観念画像及びフィルム経過枚数画像を共に表示する。
【００５２】
具体的には、図６は、フィルミングフォーマット設定部５１によって図４に示すフィルミングフォーマットを設定した場合であって、撮影画像を７枚生成したタイミングにおける表示画面を示す。表示画面の右下側には、フィルム経過枚数画像生成部５４によって生成されたフィルム経過枚数画像である「只今、２枚目」が表示されている。また、表示画面の右下側には、フィルミングフォーマット設定部５１によって設定された図４に示すフィルミングフォーマット上に３枚の撮影画像がそれぞれ配置されたフィルミング観念画像が表示されている。
【００５３】
なお、図６に示す表示画面では、検査モニタ４６ａは、フィルミング観念画像生成部５３によって順次生成されるフィルミング観念画像を、順次更新表示する構成とする。また、図６に示す表示画面では、検査モニタ４６ａは、フィルム経過枚数画像生成部５４によって生成されるフィルム経過枚数画像を順次更新表示する。
【００５４】
ここでは、表示画面の右下側にフィルミング観念画像及びフィルム経過枚数画像を表示する例を示すが、表示画面の右下側に表示する場合に限定されるものではない。
【００５５】
また、図３に示すフィルミング画像生成部５５は、透視・撮影実行部５２が実行する撮影によって画像生成・処理回路４２によって順次生成される撮影画像を、フィルミングフォーマット設定部５１によって設定されたフィルミングフォーマットに従って配置して、フィルミング画像を生成する機能を有する。
【００５６】
フィルミング画像出力制御部５６は、フィルミング画像生成部５５によって生成されるフィルミング画像を所要のタイミングでフィルミングするように、イメージャ４４を制御する機能を有する。例えば、フィルミング画像出力制御部５６は、フィルミング画像生成部５５からフィルミング画像が出力される毎に、フィルミング画像をフィルミングするようにイメージャ４４を制御してもよい。又は、フィルミング画像出力制御部５６は、同一検査中にフィルミング画像生成部５５から出力される全てのフィルミング画像を、検査が終了した後でまとめてフィルミングするようにイメージャ４４を制御してもよい。又は、フィルミング画像出力制御部５６は、フィルミング画像生成部５５から出力される全てのフィルミング画像を、複数の検査が終了した後、例えば１日の検査がすべて終了した後でまとめてフィルミングするようにイメージャ４４を制御してもよい。
【００５７】
図７は、検査中における検査モニタ４６ａの表示画面の第２例を示す概念図である。
【００５８】
患者Ｐの検査部位、例えば消化器（胃）の検査中、検査モニタ４６ａは、図７に示すように、撮影画像（透視画像の場合もある）、検査情報、フィルミング観念画像を共に表示する。
【００５９】
図７に表示する表示例の場合、フィルミング観念画像生成部５３が画像合成回路４５を制御することによって、検査モニタ４６ａは、フィルミング観念画像生成部５３によって順次生成されるフィルミング観念画像を、カスケード表示（複数のウィンドウを、上下左右を少しずつずらしながら重ねて表示する表示方法）する。
【００６０】
本実施形態のＤＲ装置１０によると、検査実施者は、透視中に検査モニタ４６ａに表示される透視画像を見ながら撮影位置、撮影のタイミングを決めて撮影を実行させ、透視画像に代替して一時的に検査モニタ４６ａに表示される撮影画像が診断に適しているものかどうかを判断する作業を繰り返す検査中に、検査モニタ４６ａを見るだけで、予め設定された全体の撮影画像枚数のうち、現在、何枚の撮影画像を撮影したのかを把握することができる。また、本実施形態のＤＲ装置１０によると、検査実施者は、検査中に、検査モニタ４６ａを見るだけで、イメージャ４４によってどうような形態でフィルミングされるのかを把握することができる。よって、本実施形態のＤＲ装置１０によると、検査中に、現在、何枚の撮影画像を撮影したのか、どのような形態でフィルミングされるのかを把握したい場合にも、入力装置を用いて把握したい内容をシステムモニタ４６ｂ上に表示させる必要がないので、検査効率を向上することができる。
【００６１】
本実施形態のＤＲ装置１０は、定期の健康診断等のように、同一の検査対象部位について複数の患者を連続的に検査する場合に特に有効である。
【図面の簡単な説明】
【００６２】
【図１】本発明に係るＸ線診断装置の実施形態を示す概略図。
【図２】入力装置及びモニタ部を設ける操作卓の一例を示す概観図。
【図３】本実施形態のＸ線診断装置の機能を示すブロック図。
【図４】フィルミングフォーマットの例を示す概要図。
【図５】フィルミングフォーマットの例を示す概要図。
【図６】検査中における検査モニタの表示画面の第１例を示す概念図。
【図７】検査中における検査モニタの表示画面の第２例を示す概念図。
【符号の説明】
【００６３】
１０  ＤＲ装置
１１  Ｃアーム保持装置
１２  ＤＦ装置
４２  画像生成・処理回路
４４  イメージャ
４５  画像合成回路
４６  モニタ部
４６ａ  検査モニタ
４６ｂ  システムモニタ
５１  フィルミングフォーマット設定部
５２  透視・撮影実行部
５３  フィルミング観念画像生成部
５４  フィルム経過枚数画像生成部
５５  フィルミング画像生成部
５６  フィルミング画像出力制御部
【図１】
2008302071.tif 000003
【図２】
2008302071.tif 000004
【図３】
2008302071.tif 000005
【図４】
2008302071.tif 000006
【図５】
2008302071.tif 000007
【図６】
2008302071.tif 000008
【図７】
2008302071.tif 000009